(57)【特許請求の範囲】
【請求項１】
それぞれマイクロコンピュータを搭載した純正のデッキ・チューナーと、オーディオ及びエアコンの操作パネルと、エアコンコンピューターをＬＡＮケーブルで接続して構成した車載用オーディオシステムにおいて、前記純正デッキ・チューナーを非純正のヘッドユニットと交換した際、ＬＡＮ接続されるものであって、
前記純正デッキ・チューナーを装着しているときにモニターして得られた特定アドレスのＬＡＮ信号を発生するＬＡＮ信号発生手段を備え、前記純正のヘッドユニットの代わりに前記ＬＡＮ信号を送信し、前記他の純正機器の動作を阻害することなく機能させることを特徴とする車載用オーディオインターフェースアダプター。
【発明の詳細な説明】
【０００１】
【発明の属する技術分野】
本発明は、車載用のオーディオシステムに於いて、純正のデッキ・チューナーを市販の非純正ヘッドユニットに交換した際、ＬＡＮ接続される車載用オーディオインターフェースアダプター（以下単にアダプターという）に関するものである。
【０００２】
【従来の技術及びその問題点】
ある車種のオーディオシステムは、図１に示すように純正のデッキ・チューナー１と、オーディオ及びエアコンの操作パネル２と、エアコン制御コンピューター３がコネクター４を介してＬＡＮケーブルで接続されそれぞれＬＡＮ通信を行っている。またスピーカー５−１〜５−４はコネクター６、７を介して前記デッキ・チューナー１に直接接続されている。このような構成に於いて、前記純正デッキ・チューナー１を交換して、該純正デッキ・チューナー１が備える通信機能を有しない市販の非純正ヘッドユニットを装着すると、音声は正常に出力されるものの、純正デッキ・チューナー１により保持されていたＬＡＮ形態の接続が分断され、オーディオ及びエアコンの操作パネル２によるオーディオの調整が不能になったと判断される。これにより、オーディオ及びエアコンの操作パネル２自体が機能を停止して、エアコンの操作が不能になってしまう。このため純正デッキ・チューナー１を市販の非純正ヘッドユニットに交換する際、ＬＡＮ接続されるアダプターには、前記純正デッキ・チューナー１の通信を代替する機能が必要になる。
【０００３】
【発明が解決しようとする課題】
本発明は記問題に鑑みてなされたもので、純正のデッキ・チューナーを市販の非純正ヘッドユニットに交換する際、ＬＡＮ接続され純正デッキ・チューナーの通信を代替する機能を有するアダプターを提供することを目的とする。
【０００４】
【課題を解決するための手段】
上記目的を達成するために請求項１に記載されたアダプターは、それぞれマイクロコンピュータを搭載した純正のデッキ・チューナーと、オーディオ及びエアコンの操作パネルと、エアコンコンピューターをＬＡＮケーブルで接続して構成した車載用オーディオシステムにおいて、前記純正デッキ・チューナーを非純正のヘッドユニットと交換した際、ＬＡＮ接続されるものであって、前記純正デッキ・チューナーを装着しているときにモニターして得られた特定アドレスのＬＡＮ信号を発生するＬＡＮ信号発生手段を備え、前記純正のヘッドユニットの代わりに前記ＬＡＮ信号を送信し、前記他の純正機器の動作を阻害することなく機能させることを特徴とする。
【０００５】
【発明の作用及び効果】
請求項１に記載のアダプターは、車載用のオーディオシステムに於いて、純正のデッキ・チューナーを市販の非純正ヘッドユニットに交換する際、ＬＡＮ接続されるもので、純正デッキ・チューナーを装着しているときにモニターして得られた特定アドレスのＬＡＮ信号を発生するＬＡＮ信号発生手段により、該ＬＡＮ信号を送信し、他の純正機器の動作を阻害することなく機能させる。従って、純正デッキ・チューナーの取り外し及び交換を可能にする。
【０００６】
【発明の実施の形態】
本発明の１実施形態について図２を参照して説明する。図２の２点鎖線内部が、アダプターＡの概略の構成を示した回路図であり、２点鎖線の外部はアダプターＡの構成に含まれない機器である。図２に於いて、８はＬＡＮ信号を発生するマイクロコンピュータ（以下マイコンという）回路、９はＬＡＮ信号を車載のＬＡＮ仕様に適合させるためのインターフェースである。１０は前記コネクター４に直接接続可能なコネクターである。
【０００７】
また、１１は市販の非純正ヘッドユニット、１２は非純正ヘッドユニット１１のスピーカー出力に接続するギボシ端子、１３，１４はそれぞれ前記ネクター６，７と直接接続可能なコネクターである。非純正ヘッドユニット１１の音声出力は、ギボシ端子１２，コネクター１３，１４とコネクター６、７を介し前記スピーカー５に直結されるため、何の問題もなくその音声は、前記スピーカー５から出力される。
【０００８】
上記構成のアダプターＡのマイコン回路８は、通常、マイクロコンピュータ（以下単にマイコンという）又はマイコンを主体とした回路ブロックで構成され、ＬＡＮ信号の送受信データをプログラム又はデータの形で記憶保持し、必要に応じて純正ヘッドユニット１のＬＡＮ信号を発生する機能を備えたものである。
【０００９】
このため、図３に示すように純正デッキ・チューナー１が装着されている状態の車載オーディオシステムのＬＡＮケーブルに、ＬＡＮ信号モニター装置３０を接続し、キーオン時及び各種操作時に該ＬＡＮケーブルに流れるデータをモニターして収集する。そして、純正デッキ・チューナー１の特定のアドレス（この場合１９０ｈ番地）を送信元又は受信先に持つデータだけを抽出する。この抽出された送受信データが、純正デッキ・チューナー１に関係するＬＡＮ信号である。
【００１０】
また、上記抽出された送受信データには、特定の組み合わせになるものが存在する。例えば、ある受信データには特定のデータパターンを送信する等の組み合わせがある。このようなデータ解析を行なって、マイコン回路８にプログラム又はデータの形で記憶保持し、純正デッキ・チューナー１と等価なＬＡＮ信号を発生する。そして、そのＬＡＮ信号はインターフェース９、コネクター１０、４に接続されたＬＡＮケーブルを介して送信される。
【００１１】
従って、前記オーディオ・エアコン操作パネル２やエアコンコンピューター３からは、コネクター４に純正デッキ・チューナーが接続されているかのように認識され、エアコン等各種機器は、通常通り作動する。
【００１２】
尚、マイコン回路８が発生するＬＡＮ信号は、なるべく単純なものが望ましく、そのためモニターする純正デッキ・チューナー１のモードを適当に選択する必要がある。通常はもっとも通信が少なくなる電源オフの状態が適当である。
【００１３】
上記で説明したように本発明のアダプターＡは、車載オーディオシステムに於いて、純正ヘッドユニット１を装着しているときにＬＡＮ信号モニター装置３０で収集して得られた特定アドレスのＬＡＮ信号を発生するマイコン回路８により、純正ヘッドユニット１の代わりに特定アドレスのＬＡＮ信号を送信し、エアコン等の他の純正機器の動作を阻害することなく機能させるから、純正ヘッドユニット１の取り外し及び交換が可能になる。
【図面の簡単な説明】
【図１】純正の車載用オーディオシステムの概略のブロック図である。
【図２】ＬＡＮ接続したアダプターの概略のブロック図である。
【図３】純正デッキ・チューナーのＬＡＮ信号をモニターする態様を示した概略のブロック図である。
【符号の説明】
Ａ...アダプター
１...純正デッキ・チューナー
２...オーディオ及びエアコン操作パネル
３...エアコン制御コンピュータ
５−１〜５−４...スピーカー
８...マイコン回路
９...インターフェース
３０...ＬＡＮ信号モニター装置
【図１】
0004023656.tif 000002
【図２】
0004023656.tif 000003
【図３】
0004023656.tif 000004